(57)【要約】【課題】戸閉検知スイッチや施錠機構などに故障や異常が発生しても安全な動作を行うことができるドア制御装置を提供する。【解決手段】ステータス(S1)における「Full Close」動作を検出した後に戸閉検知スイッチON/OFF検知部１８の故障が発生し、イベント(E6a)「Dcsm=OFF」、すなわち戸閉検知スイッチON/OFF検知部１８がOFFを検知したことを示す信号(Dcsm = OFF)が得られた際は、ステータス(S6)「ReClose」動作を実行し、イベント(E6b)「Dcsm=ON」、すなわち戸閉検知スイッチON/OFF検知部１８がONを検知したことを示す信号(Dcsm = ON)、となるまで再閉指令部１２３を介してドア閉制御部１５により閉方向への駆動を継続する。【選択図】図２
2015048063.tif 000002
【特許請求の範囲】
【請求項１】
ドア駆動部を介してドアを開閉制御するドア制御装置において、
該ドア制御装置は、
ドア駆動部に開指令を与える開指令部、ドア駆動部に閉指令を与える閉指令部、ドア駆動部に再閉指令を与える再閉指令部、および、ドア駆動部に繰返し開閉指令を与える繰返し開閉指令部を有するドア開閉制御部と、
前記閉指令又は前記再閉指令に応じて前記ドア駆動部を駆動するドア閉制御部と、
前記繰返し開閉指令に応じて前記ドア駆動部を繰り返し駆動する開閉動作繰返し制御部と、
前記開指令に応じて前記ドア駆動部を駆動するドア開制御部と、
前記ドアの全閉状態をスイッチのオン／オフで検知する戸閉検知スイッチON/OFF検知部と、
前記ドアを閉位置で施錠する施錠機構の作動／不作動を検出する施錠機構作動／不作動検出部と、を少なくとも備え、
前記戸閉検知スイッチON/OFF検知部におけるON検知でドア全閉を検出した後に、前記戸閉検知スイッチON/OFF検知部によるOFFおよび前記施錠機構作動／不動作検出部による不動作のいずれか一方又は両方が検知された場合には、前記戸閉検知スイッチON/OFF検知部によるONが検知されるまで前記ドア閉制御部による前記ドアの閉動作を継続して実施する、
ことを特徴とするドア制御装置。
【請求項２】
請求項１記載のドア制御装置において、
前記ドア閉制御部による前記ドアの閉動作が一定時間内に複数回繰り返し行われたことを検知して、前記施錠機構の故障信号を出力することを特徴とするドア制御装置。
【請求項３】
請求項１記載のドア制御装置において、
前記ドア閉制御部による前記ドアの閉動作を一定時間継続しても前記戸閉検知スイッチON/OFF検知部におけるON検知がされない場合は前記戸閉検知スイッチの故障信号を出力することを特徴とするドア制御装置。
【請求項４】
請求項１〜３のいずれか一項に記載のドア制御装置において、
前記戸閉検知スイッチON/OFF検知部におけるON検知でドア全閉を検出した後に、前記戸閉検知スイッチON/OFF検知部によるOFFおよび前記施錠機構作動／不動作検出部による不動作いずれか一方又は両方が検知されて前記ドア閉制御部による前記ドアの閉動作を継続している場合に、開指令（Open Command）動作を有効としたことを特徴とするドア制御装置。
【発明の詳細な説明】
【技術分野】
【０００１】
本発明は、ドア駆動部が電動機により構成され、該ドア駆動部の駆動力によってドアが開閉制御されるドア制御装置に関する。
【背景技術】
【０００２】
図５は、ドアが電動機による駆動力によって駆動される電車用ドア装置の構成を示す図であり、図５（ａ）は、ドア開状態における電車用ドア装置１の構成を示すものであり、図５（ｂ）は、ドア全閉状態における電車用ドア装置１の構成を示すものである。また図６は、従来から知られている一般的なドア開閉シーケンスを説明する図である。
【０００３】
図５（ａ）および図５（ｂ）に示されるように、ドア制御装置２は図示されていない電車運行システムから開閉指令(Open Command / Close Command)を受けると、ドア制御装置２内に内蔵されているドア駆動部を制御し、図６に示す従来から知られているドア開閉シーケンスにしたがってドア装置の開閉制御を実現する。
【０００４】
ドア制御装置２内に内蔵されているドア駆動部により駆動される電車用ドアの特徴として、図５（ａ）に図示した施錠機構５の存在がある。また図５（ｂ）のドア全閉状態において、施錠機構５によりドアを施錠状態にすることにより、ドア制御装置２内に内蔵されているドア駆動部（例えばドア駆動モータ）の駆動力をオフにしてもドア（左側ドア６及び右側ドア７）が全閉状態から変わらないことを実現している。ドア制御装置２内にはエンコーダ等の位置検出器が内蔵されており、この位置検出器および戸閉検知スイッチ４の動作信号と施錠機構５の施錠検知スイッチ（不図示）の作動情報よりドアの状態を検出している。また、戸閉検知スイッチ４は左側ドア６の上部に設けている押し棒３および右側ドア７の上部に設けている押し棒３がそれぞれ戸閉検知スイッチ４に接触して押すことで戸閉状態を検知するとともに、施錠検知スイッチは施錠機構５が作動してドア（左側ドア６及び右側ドア７）を施錠（ロック）したことを検知する。
【０００５】
そして図６に示すように、ステータス(S1)における「Full Close」の検知条件は、図示中央部に示すイベント(E4a)「Dcsm = ON」における戸閉検知スイッチ４の動作信号(Dcsm = ON)によりドアが全閉位置まで動作したことにより判定され、また図示左上部に示すイベント(E1)「Open Command」を受けて図示中央上部に示すステータス(S2)「Open」が開動作を行うことで、連続したドアの開閉動作を実現することが従来から知られているドア開閉シーケンスの動作である。なお、図示省略しているが、イベント(E1)「Open Command」は図示中央部に示すステータス(S4)「Close」の動作中も有効であり、また図示中央右部に示すイベント(E3)「Close Command」は、図示中央上部に示すステータス(S2)「Open」動作中も有効であり、動作途中からの指令(Command)に従う機能を有する。
【０００６】
またドアに異物が挟まったときなど、ドアが閉められない状態を図示中央下部に示すイベント(E5a)「Obstruction Detected」が検知した場合には、図示中央下部のステータス(S5)「Recycle Open & Close」動作が行われる。ステータス(S5)「Recycle Open & Close」動作とは、挟まれた物を取り除くために、ドアを全開まで開き、一定時間後に閉動作を再開する機能であり、当業者には電車用ドアに広く採用されていることも知られている。なお、イベント(E5a)「Obstruction Detected」の検知条件は、上記位置検出器により全閉位置以外の位置でドア位置が変化しない状態あるいはドア速度の低下を検知したにも関わらず戸閉検知スイッチ４が戸閉状態を検知しないとき、または、上記ドア駆動部に用いられる電動機(モータ)に流れる電流が予め定めた所定値を超えて増加した過負荷状態を検知したときなど、さまざまな「Obstruction：故障」の検知方法を採ることができるが、本発明ではどの「Obstruction」の検知方法を採るかについては言及しない。
【０００７】
下記特許文献１には、電動開閉器の開閉方法が開示されている。すなわち、特許文献１は、自動車等におけるパワーウィンドウにおける開閉制御において、閉スイッチあるいは開スイッチがＯＮされたときに、閉方向あるいは開方向への移動距離に応じたタイマをセットし、閉方向あるいは開方向に電動機を始動する第１ステップと、第１ステップ後、パルス発生手段からのパルスをカウントし、予め定めたカウント値に達したとき、あるいは予め定めたカウント値に達する前に前記タイマがタイムアップしたときに電動機を停止する第２ステップとを備えるようにして電動開閉器の異常を早期に検出すると共に、電動機の過負荷状態を回避することが記載されている。また、上記において、タイマが電動機の動作中にタイムアップしたときには、電動機を反転動作させることも記載されている。
【先行技術文献】
【特許文献】
【０００８】
【特許文献１】特開2003-020858号公報
【発明の概要】
【発明が解決しようとする課題】
【０００９】
図６に示した従来のドア開閉シーケンスでも、ドア装置として通常の動作をさせることが可能であると思われる。しかし電車用ドア装置として十分な安全性を担保しているかを考慮した場合、例えば戸閉検知スイッチ４の故障が発生した場合には、図６に示すようにイベント(E4b)「Dcsm = OFF」が検出され、再度、ステータス(S4)「Close」の動作が実行されることになる。この場合、戸閉検知スイッチ４が故障しているため、イベント(E4a)「Dcsm = ON」に示す戸閉検知スイッチ４の動作信号(Dcsm = ON)は発生せず、ステータス(S5)「Recycle Open & Close」動作が行われることになる。上述したようにステータス(S5)「Recycle Open & Close」動作は、通常では挟まれた物を取り除くために、ドアを全開まで開き、一定時間後に閉動作を再開する動作であるため、ステータス(S5)「Recycle Open & Close」動作を行うことは、駅などに停車しているときのドアサイドがホーム側における「Close」動作においては有効な動作であるが、ホーム側と反対のドアサイドや電車走行中における戸閉検知スイッチ４の故障が発生した場合の「Recycle Open & Close」動作は重大事故に発展することが容易に想像される。
【００１０】
また上記した特許文献１におけるパワーウィンドウの開閉制御方法では、センサ故障時における安全対策としてタイマによるタイムオーバを基に電動開閉器を停止状態にしているため、これを電車用ドアに適用した場合にはドアが開いた状態で走行してしまうことになるため十分な安全対策を施すことに利用することができないという課題がある。
【００１１】
そこで本発明は、戸閉検知スイッチや施錠機構などに故障や異常が発生しても安全な動作を行うことができるドア制御装置を提供することを目的とするものである。
【課題を解決するための手段】
【００１２】
上記目的を達成するために本発明の請求項１に記載の発明では、ドア駆動部を介してドアを開閉制御するドア制御装置において、該ドア制御装置は、
ドア駆動部に開指令を与える開指令部、ドア駆動部に閉指令を与える閉指令部、ドア駆動部に再閉指令を与える再閉指令部、および、ドア駆動部に繰返し開閉指令を与える繰返し開閉指令部を有するドア開閉制御部と、
前記閉指令又は前記再閉指令に応じて前記ドア駆動部を駆動するドア閉制御部と、
前記繰返し開閉指令に応じて前記ドア駆動部を繰り返し駆動する開閉動作繰返し制御部と、
前記開指令に応じて前記ドア駆動部を駆動するドア開制御部と、
前記ドアの全閉状態をスイッチのオン／オフで検知する戸閉検知スイッチON/OFF検知部と、
前記ドアを閉位置で施錠する施錠機構の作動／不作動を検出する施錠機構作動／不作動検出部と、を少なくとも備え、
前記戸閉検知スイッチON/OFF検知部におけるON検知でドア全閉を検出した後に、前記戸閉検知スイッチON/OFF検知部によるOFFおよび前記施錠機構作動／不動作検出部による不動作のいずれか一方又は両方が検知された場合には、前記戸閉検知スイッチON/OFF検知部によるONが検知されるまで前記ドア閉制御部による前記ドアの閉動作を継続して実施することを特徴とする。
【００１３】
また請求項２に記載の発明では、上記請求項１記載のドア制御装置において、
前記ドア閉制御部による前記ドアの閉動作が一定時間内に複数回繰り返し行われたことを検知して、前記施錠機構の故障信号を出力することを特徴とする。
【００１４】
また請求項３に記載の発明では、上記請求項１記載のドア制御装置において、
前記ドア閉制御部による前記ドアの閉動作を一定時間継続しても前記戸閉検知スイッチON/OFF検知部におけるON検知がされない場合は前記戸閉検知スイッチの故障信号を出力することを特徴とする。
【００１５】
また請求項４に記載の発明では、上記請求項１〜３のいずれか一項に記載のドア制御装置において、
前記戸閉検知スイッチON/OFF検知部におけるON検知でドア全閉を検出した後に、前記戸閉検知スイッチON/OFF検知部によるOFFおよび前記施錠機構作動／不動作検出部による不動作いずれか一方又は両方が検知されて前記ドア閉制御部による前記ドアの閉動作を継続している場合に、開指令（Open Command）動作を有効としたことを特徴とする。
【発明の効果】
【００１６】
本発明によれば、正常時のドア開閉動作へ影響をあたえず、施錠機構や戸閉検知スイッチなどの故障時に非安全なドア開動作とならずに安全な電車用ドア装置を実現することが可能となる。
【００１７】
また本発明は、ドア制御装置におけるソフトウエアを改善するのみで実現可能であるため、ハードウェアによって構成する場合に比べて部材、組立などにかかるコストの増加が発生せずに機能改善を図ることが可能となる。
【図面の簡単な説明】
【００１８】
【図１】本発明の実施形態１に係るドア制御装置の構成を示すブロック図である。
【図２】本発明の実施形態１に係るドア開閉シーケンスを示す図である。
【図３】本発明の実施形態２に係るドア制御装置の構成を示すブロック図である。
【図４】本発明の実施形態２に係るドア開閉シーケンスを示す図である。
【図５】ドアの開閉が電気的に駆動される電車用ドア装置の構成を示す図である。
【図６】従来から知られている一般的なドア開閉シーケンスを説明する図である。
【発明を実施するための形態】
【００１９】
以下、本発明の実施の形態について、詳細に説明する。
［実施形態１］
図１は、本発明の実施形態１に係るドア制御装置の構成を示すブロック図である。図１に示すドア制御装置は、図５に示した電車用ドア装置１に適用されるものである。
【００２０】
図１においてドア制御装置１１は、ドア開閉制御部１２と、ドア開制御部１３と、開動作監視部１４と、ドア閉制御部１５と、閉動作監視部１６と、開閉動作繰返し制御部１７と、戸閉検知スイッチON/OFF検知部１８と、施錠機構作動／不作動検出部１９と、戸閉支障物検知／非検知部２０とから構成される。
【００２１】
そしてドア開閉制御部１２は、上記した戸閉検知スイッチON/OFF検知部１８、施錠機構作動／不作動検出部１９、および、戸閉支障物検知／非検知部２０からの信号、図示せざる運転システムからの開閉指令(Open Command / Close Command)、並びに、上記した開動作監視部１４及び閉動作監視部１６からの信号を自部への入力として取り込むとともに、自部内からは、開指令部１２１を介してドア開制御部１３に開指令を、閉指令部１２２及び再閉指令部１２３を介してドア閉制御部１５に閉指令及び再閉指令を、繰返し開閉指令部１２４を介して開閉動作繰返し制御部１７に繰返し開閉指令を、それぞれ出力する。
【００２２】
ここで、開閉動作繰返し制御部１７は、ドアに異物が挟まったときなど、ドアが閉められない状態をイベント(E5a)「Obstruction Detected」が検知した場合に、挟まれた物を取り除くために、一旦ドアを全開まで開き、一定時間後に閉動作を再開するステータス(S5)「Recycle Open & Close」動作を行うものである。
【００２３】
なお上記ドア制御装置１１内のドア開閉制御部１２で行われる制御処理は、その制御処理を遂行させる命令が記述されたプログラムをコンピュータに実行させることにより実現することができる。
【００２４】
図２は、本発明の実施形態１に係るドア開閉シーケンスを示す図であり、図６に示した従来のドア開閉シーケンスにおける戸閉検知スイッチ４あるいは施錠機構５（図５参照）に故障が起きても安全なドアの開閉動作を行うことを可能にするものである。
【００２５】
図２に示すドア開閉シーケンスは、ステータス(S1)における「Full Close」動作を検出した後に戸閉検知スイッチON/OFF検知部１８の故障が発生し、イベント(E6a)「Dcsm=OFF」、すなわち戸閉検知スイッチON/OFF検知部１８がOFFを検知したことを示す信号(Dcsm = OFF)が得られた際は、ステータス(S6)「ReClose」動作を実行し、イベント(E6b)「Dcsm=ON」、すなわち戸閉検知スイッチON/OFF検知部１８がONを検知したことを示す信号(Dcsm = ON)、となるまで再閉指令部１２３を介してドア閉制御部１５により閉方向への駆動を継続する。
【００２６】
なお、ステータス(S1)における「Full Close」動作は、イベント(E4a)における戸閉検知スイッチ４の動作信号(Dcsm = ON)によりドアが全閉位置まで動作したと判定している。すなわち、図１に示したドア開閉制御部１２の閉指令部１２２から閉指令をドア閉制御部１５に与えた後に、ドア開閉制御部１２が上記した戸閉検知スイッチON/OFF検知部１８からONが入力されることで全閉に至ったことを確認している。因みに、ステータス(S3)における「Full Open」動作は、イベント(E2)「Postion = Open」によりドアが全開位置まで動作したと判定している。すなわち、図１に示したドア開閉制御部１２の開指令部１２１から開指令をドア開制御部１３に与えた後に、ドア制御装置２内に設けられたエンコーダ等の位置検出器（不図示）からの位置検出信号に基づいてドアが全開に至ったことを確認している。
【００２７】
ステータス(S6)の「ReClose」動作は、戸閉検知スイッチON/OFF検知部１８の故障（戸閉検知スイッチ４自体の故障も含む）あるいは施錠機構作動／不作動検出部１９の故障（施錠機構自体の故障も含む）によりドアを全閉位置に保持できなくなった場合に、ドア閉制御部１５に閉指令を継続的に与えることにより「Full Close」状態への移行を行うことで、不意の故障の際も安全性を確保するようにしている。
【００２８】
そして戸閉検知スイッチON/OFF検知部１８や施錠機構作動／不作動検出部１９の故障によりステータス(S6)「ReClose」動作を継続した場合も図６に示した従来のドア開閉シーケンスと同様に、イベント(E1)「Open Command」動作を有効とすることで、故障したドアが開かないという状況は発生せず、ステータス(S6)「ReClose」動作を追加することによって正常時のドア開閉動作に影響を与えるような弊害は発生しない。
【００２９】
このように本実施形態に係るドア開閉シーケンスによれば、戸閉検知スイッチON/OFF検知部１８や施錠機構作動／不作動検出部１９の故障により、図６に示した従来のドア開閉シーケンスではイベント(E4b)「Dcsm = OFF」→(E5a)「Obstruction Detected」に至るようなまったく想定していない動作が生じることを改善することが可能となる。
【００３０】
したがって、上記図２に示すようなドア開閉シーケンスの改善により、例えステータス(S1)における「Full Close」動作を検出した後に戸閉検知スイッチON/OFF検知部１８の故障が発生し、戸閉検知スイッチON/OFF検知部１８がOFFを検知したことを示す信号(Dcsm = OFF)が得られた場合でも、ステータス(S6)「ReClose」動作によりステータス(S1)の「Full Close」動作への移行を継続でき、図６に示した従来のドア開閉シーケンスにおけるステータス(S5)「Recycle Open & Close」動作によって不用意なドア開状態を発生させないようにすることができる。
［実施形態２］
上記した実施形態１により、戸閉検知スイッチON/OFF検知部１８の故障により、図６に示した従来のドア開閉シーケンスではイベント(E4b)「Dcsm = OFF」→イベント(E5a)「Obstruction Detected」に至るような、まったく想定していない動作が生じることを改善できる。しかしながら、戸閉検知スイッチON/OFF検知部１８の故障、およびまたは、施錠機構作動／不作動検出部１９の故障が発生した場合には、ステータス(S1)「Full Close」の動作状態を保持できない。このため、ドアが一旦開き、イベント(E6a)「Dcsm=OFF」となり、それをステータス(S6)「ReClose」動作によりドアを閉める動作を継続して行うことで、イベント(E6b)「Dcsm=ON」となって再びステータス(S1)「Full Close」の動作状態となることを繰り返す。このように施錠機構の故障によりドアが開き、更にその開いたドアをステータス(S6)「ReClose」動作によりドア閉にする、という小刻みなドア開閉の繰り返し現象が起きる。なお、小刻みなドア開閉の繰り返し現象は、ドア装置の総重量などにより多少変化するものの、平均して１秒間に数回繰り返される。
【００３１】
このような小刻みなドア開閉の繰り返し動作が起きる場合においても、ドアがステータス(S1)「Full Close」付近に保持されているので、安全性に特段の支障はない。しかし電車全体の運行システムの安全性から、通常では、全ドアにおけるイベント(E6b)「Dcsm=ON」を確認したうえで、出発や非常停止などの運行可否の判定が行われている。
【００３２】
なお小刻みなドア開閉の繰り返し動作中のDcsm信号、すなわち戸閉検知スイッチのON/OFFは、通常のドア開閉動作と同様に、小刻みなオン／オフが繰り返される。電車全体の運行システムにもよるが、走行中にドアが開いたことを判定するための「Dcsm= OFF」の判定時間は、誤検知を考慮して２秒程の長めに設定されていることが多い。先述の繰り返し動作中のDcsm信号は、短時間（１秒以下）しかオフしないことと合わせると、走行中にドアが開いたことを検出できない設定となっており、施錠機構作動／不作動検出部１９の故障を検知できない場合には、故障したまま走行を続けてしまうという恐れがある。
【００３３】
したがって、本発明の実施形態２に係るドア制御装置は、このような小刻みなドア開閉の繰り返し動作が生じないように更に安全性を高めるようにしたものである。
図３は、本発明の実施形態２に係るドア制御装置の構成を示すブロック図である。図３に示すドア制御装置は、図５に示した電車用ドア装置に適用されるものである。
【００３４】
図３においてドア制御装置１１は、ドア開閉制御部１２と、ドア開制御部１３と、開動作監視部１４と、ドア閉制御部１５と、閉動作監視部１６と、開閉動作繰返し制御部１７と、戸閉検知スイッチON/OFF検知部１８と、施錠機構作動／不作動検出部１９と、戸閉支障物検知／非検知部２０と、故障閉位置保全制御部２１とから構成される。
【００３５】
そしてドア開閉制御部１２は、上記した戸閉検知スイッチON/OFF検知部１８、施錠機構作動／不作動検出部１９、および、戸閉支障物検知／非検知部２０からの信号、図示せざる運転システムからの開閉指令(Open Command / Close Command)、並びに、上記した開動作監視部１４及び閉動作監視部１６からの信号を自部への入力として取り込むとともに、自部内からは、開指令部１２１を介してドア開制御部１３に開指令を、閉指令部１２２及び再閉指令部１２３を介してドア閉制御部１５に閉指令及び再閉指令を、繰返し開閉指令部１２４を介して開閉動作繰返し制御部１７に繰返し開閉指令を、さらに、故障閉位置保全指令部１２５を介して故障閉位置保全制御部２１に故障閉位置保全指令を、それぞれ出力する。
【００３６】
図４は、本発明の実施形態２に係るドア開閉シーケンスを示す図であり、図２に示した実施形態１のドア開閉シーケンスにおける小刻みなドア開閉の繰り返し動作が起きてもより安全なドアの開閉動作を行うことを可能にするものである。そのため、図４では、ドア開閉制御部１２に故障閉位置保全指令部１２５を備えるとともに、故障閉位置保全指令に基づいて故障閉位置保全制御部２１が故障閉位置保全動作を実行してドアの閉動作を現状位置で停止・維持（に保全）して小刻みなドア開閉の繰り返し動作が継続しないようにしている。
【００３７】
図４では、上述した実施形態１のドア開閉シーケンスにおける小刻みなドア開閉の繰り返し動作があり得ることを想定して、イベント(E7)「Error Detected」で表わされる故障検知イベントを追加し、ステータス(S7)「Error 」動作により、故障信号を出力するとともに、故障検知時の閉位置にドアを保全することで、上記の小刻みなドア開閉の繰り返し動作を停止させ、イベント(E6a)「Dcsm = OFF」によりDcsm = OFFの状態を運行システムが検知できるようにする。したがって運行システムが、施錠機構作動／不作動検出部１９の故障を確実に検知できることで戸閉検知スイッチON/OFF検知部１８の故障あるいは施錠機構作動／不作動検出部１９が不作動になったことによる非安全な走行状態を回避させることができる。
【００３８】
なおイベント(E7)「Error Detected」で表わされる故障検知イベントにおいては、後述する２種類の故障検知方法が有効である。すなわち、
（検知方法１）一定時間内に複数回の小刻みなドア開閉の繰り返し動作を行われたことを検知することで、施錠機構作動／不作動検出部１９の不作動または施錠機構自体の故障によりステータス(S1)「Full Close」の動作状態を保持できないことを検知し、施錠機構作動／不作動検出部１９の故障（施錠機構５自体の故障も含む）と判定して故障信号を出力する。
【００３９】
具体的には、戸閉検知スイッチON/OFF検知部１８のON/OFFの繰り返しによりドア閉制御部１３によるドアの閉動作が一定時間内に複数回繰り返し行われたことを検知することで、上記した小刻みなドア開閉の繰り返し現象が起きたと判定して、施錠機構作動／不作動検出部１９の故障信号を出力する。そして、故障閉位置保全制御部２１により故障検知時の閉位置にドアを保全する。
【００４０】
（検知方法２）ステータス(S6)「ReClose」における「ReClose」動作を一定時間継続しても、ステータス(S1)「Full Close」動作に復帰できないことを検知することで、戸閉検知スイッチON/OFF検知部１８のOFF故障（戸閉検知スイッチ４自体の故障も含む）と判定して故障信号を出力する。
【００４１】
具体的には、ドア閉制御部１３によるドアの閉動作を一定時間継続しても戸閉検知スイッチON/OFF検知部１８のONが検知できない場合は、戸閉検知スイッチON/OFF検知部１８の故障と判定して、戸閉検知スイッチON/OFF検知部１８の故障信号を出力する。そして、故障閉位置保全制御部２１により故障検知時の閉位置にドアを保全する。
【００４２】
なお、上記検知方法１，２において、判定のための上記一定時間および一定時間内の繰り返し回数は予め所定の値を設定しておく。
このように本発明の実施形態２に係るドア制御装置によれば、戸閉検知スイッチON/OFF検知部１８の故障、および又は、施錠機構作動／不作動検出部１９の故障が発生した場合であっても、上記した本発明の実施形態１に係るドア装置では、ステータス(S1)→(S6)→(S1)→(S6)…という動作を繰り返したが、本実施形態によれば、このような繰り返し動作の発生を防ぐことが可能となる。
【符号の説明】
【００４３】
１１  ドア制御装置
１２  ドア開閉制御部
１３  ドア開制御部
１４  開動作監視部
１５  ドア閉制御部
１６  閉動作監視部
１７  開閉動作繰返し制御部
１８  戸開検知スイッチ ON/OFF検知部
１９  施錠機構作動/不作動検出部
２０  戸閉支障物検知/非検知部
２１  故障閉位置保全制御部
１２１  開指令部
１２２  閉指令部
１２３  再閉指令部
１２４  繰返し開閉指令部
１２５  故障閉位置保全指令部
【図１】
2015048063.tif 000003
【図２】
2015048063.tif 000004
【図３】
2015048063.tif 000005
【図４】
2015048063.tif 000006
【図５】
2015048063.tif 000007
【図６】
2015048063.tif 000008